(57)【要約】【課題】バイオセンサを測定装置に装着する際の誤挿入を防止する。【解決手段】バイオセンサ２を測定装置３に装着して、試料液中の基質を定量または基質の存在を検知するように構成したバイオセンサシステム１において、バイオセンサ２の測定装置３への装着端部２０を、一方の基板を長手方向に延出させ、他方の基板を短手方向に延出させた形状とする。また、測定装置３のセンサ装着部３０の形状を、このバイオセンサ２の装着端部２０の形状に合わせて形成する。【選択図】　　　　図１Ａ
2004101514.tif 000002
【特許請求の範囲】
【請求項１】
第１電極を形成した絶縁性の第１基板と、第２電極を形成した絶縁性の第２基板とが、当該第１電極と当該第２電極とを対向させた状態で配置されたバイオセンサであって、
前記第１電極には第１リードが接続され、前記第２電極には第２リードが接続され、
前記第１基板は、前記第２基板の長手方向の端部に対応する位置から当該第１基板の長手方向に延出し、かつ前記第１リードの少なくとも一部を外部に露出している第１延出部を具備し、
前記第２基板は、前記第１基板の短手方向の端部に対応する位置から当該第２基板の短手方向に延出し、かつ前記第２リードの少なくとも一部を外部に露出している第２延出部を具備することを特徴とするバイオセンサ。
【請求項２】
前記第２延出部が、前記第１基板の前記短手方向の両端部に対応する位置から前記第２基板の両短手方向に延出している複数の延出部を具備することを特徴とする請求項１記載のバイオセンサ。
【請求項３】
前記第１電極と前記第２電極とに接するように試料液を供給する試料液供給路と、前記試料液供給路を介して供給される試料液に含まれる複数の基質のうちの少なくとも１つの固有の基質に反応する試薬とを備え、
前記第１基板または前記第２基板の形状が共通部分と非共通部分とを有し、前記非共通部分の形状が前記固有の基質に対応した固有形状であることを特徴とする請求項１記載のバイオセンサ。
【請求項４】
前記第１基板における前記第１延出部の位置、または前記第２基板における前記第２延出部の位置が、前記固有の基質に対応した固有位置であることを特徴とする請求項３記載のバイオセンサ。
【請求項５】
前記第２基板における前記第２延出部の前記固有位置が、前記固有の基質に対応して前記第２基板の長手方向に向かって左位置または右位置のいずれか一方の位置であることを特徴とする請求項４記載のバイオセンサ。
【請求項６】
前記複数の基質が、それぞれグルコースおよび乳酸であることを特徴とする請求項３記載のバイオセンサ。
【請求項７】
第１電極と第２電極とに接するように試料液を供給する試料液供給路と、前記試料液供給路を介して供給される試料液に含まれる複数の基質のうちの少なくとも１つの固有の基質に反応する試薬とを備え、
前記第１基板または前記第２基板の形状が共通部分と非共通部分とを有し、前記非共通部分の形状が前記固有の基質に対応した固有形状であることを特徴とするバイオセンサ。
【請求項８】
請求項３または７記載のバイオセンサを装着するセンサ装着部を備え、前記バイオセンサが前記センサ装着部に装着された時に前記第１基板または前記第２基板の前記非共通部分に対応する前記センサ装着部内位置によって、前記バイオセンサの前記固有の基質を判別することを特徴とするバイオセンサ用測定装置。
【請求項９】
前記センサ装着部は、前記バイオセンサを嵌合する統合嵌合部を具備し、前記統合嵌合部は、前記第１基板および前記第２基板の前記形状の前記共通部分に対応する第１領域と、前記非共通部分に対応する第２領域とを具備することを特徴とする請求項８記載のバイオセンサ用測定装置。
【請求項１０】
前記統合嵌合部の前記第１領域に接するように配置されている１つの第１電気接続端子と、前記統合嵌合部の前記第２領域にそれぞれ接するように配置されている複数の第２電気接続端子とを備え、
前記バイオセンサを前記統合嵌合部に嵌合した状態で、当該バイオセンサの前記第１リードおよび前記第２リードの一方を前記第１電気接続端子に接続し、他方のリードを前記複数の第２電気接続端子の１つに接続し、当該接続された第２電気接続端子により、前記統合嵌合部に嵌合した当該バイオセンサを判別することを特徴とする請求項９記載のバイオセンサ用測定装置。
【請求項１１】
互いに対向して配置されている第１基板および第２基板を具備するバイオセンサを装着するセンサ装着部を備えたバイオセンサ用測定装置であって、
前記センサ装着部は、前記バイオセンサの前記第１基板に対応する第１センサ装着部分と、前記バイオセンサの前記第２基板に対応する第２センサ装着部分とを具備し、当該第１センサ装着部分の幅と、当該第２センサ装着部分の幅とが異なることを特徴とするバイオセンサ用測定装置。
【請求項１２】
前記センサ装着部に装着されるバイオセンサにおいては、
第１電極および当該第１電極に接続された第１リードを形成した絶縁性の前記第１基板と、第２電極および当該第２電極に接続された第２リードを形成した絶縁性の前記第２基板とが、当該第１電極と当該第２電極とを対向させた状態で配置されており、
前記第１基板は、前記第２基板の長手方向の端部に対応する位置から当該第１基板の長手方向に延出し、かつ前記第１リードの少なくとも一部を外部に露出している第１延出部を具備し、
前記第２基板は、前記第１基板の短手方向の端部に対応する位置から当該第２基板の短手方向に延出し、かつ前記第２リードの少なくとも一部を外部に露出している第２延出部を具備することを特徴とする請求項１１記載のバイオセンサ用測定装置。
【請求項１３】
前記センサ装着部に前記バイオセンサを装着した状態で、前記第１延出部に露出した前記第１リードに接続される第１電気接続端子および前記第２延出部に露出した前記第２リードに接続される第２電気接続端子と、
前記第１電気接続端子および前記第２電気接続端子に電気的に接続されており、当該第１電気接続端子および当該第２電気接続端子を介して前記第１電極および前記第２電極に電圧を印加する駆動電源とを備えることを特徴とする請求項１２に記載のバイオセンサ用測定装置。
【請求項１４】
前記バイオセンサの前記第１電極と前記第２電極とに接するように供給される試料液に含まれる基質を測定するために、
前記バイオセンサの前記第１電極および前記第２電極に流れる電流に基づいて演算処理を行う信号処理部と、
前記信号処理部による演算処理の算出値を外部に出力する出力部とを備え、
前記信号処理部による前記演算処理により前記基質の量を算出し、前記算出値を前記出力部に出力することを特徴とする請求項１３記載のバイオセンサ用測定装置。
【請求項１５】
前記バイオセンサの前記第２延出部と当接することにより、前記センサ装着部に装着された前記バイオセンサを前記センサ装着部の外へ排出するための排出部材をさらに具備することを特徴とする請求項１２記載のバイオセンサ用測定装置。
【発明の詳細な説明】
【０００１】
【発明の属する技術分野】
本発明は、試料液中に含まれる基質を定量または基質の存在を検知するバイオセンサと、このバイオセンサ用測定装置に関する。
【０００２】
【従来の技術】
バイオセンサとは、微生物、酵素、抗体、ＤＮＡ、ＲＮＡ等の基本生体要素を、分子識別素子として応用したセンサである。すなわち、バイオセンサは、基本生体要素が基質を認識したときに起こる反応、例えば微生物の呼吸による酸素の消費、酵素反応、発光等を利用することにより、試料液中に含まれる基質を定量または基質の存在を検知する。
【０００３】
各種バイオセンサの中でも酵素センサ（酵素を用い対象の基質と反応させることにより基質を検出／定量するバイオセンサ）の実用化が進んでいる。例えば、グルコース、乳酸、コレステロール、アミノ酸等を対象の基質とする酵素センサは、対象の基質名に基づき例えばグルコースセンサ、コレステロールセンサ等とも呼ばれ、医療計測や食品工業等に利用されている。こうした酵素センサを用いた計測方式によれば、例えば、試料液に含まれる特定の物質（基質）と酵素などとの反応により生成する電子によって電子伝達体を還元し、この電子伝達体の還元量を、測定器で電気化学的に計測することにより、試料液中に含まれる基質を定量する。
【０００４】
このようなバイオセンサに要求される性能の１つとして、極微量の試料液でも精度良く測定が可能であることが挙げられる。例えば、糖尿病患者がグルコースセンサを用いる場合は、試料液は患者から採取した血液であることが多い。患者の負担を減少させるためには、採取する血液はできるだけ少ないことが望ましい。
【０００５】
そこで、極微量の試料液でも測定可能なバイオセンサとして、特許文献１で開示されているような電極対向型のバイオセンサが提案されている。このバイオセンサは、作用電極基板上に配置された作用電極と、対電極基板上に配置された対電極とが、試料液が供給される空間部を隔てて、相互に対向する位置に配置されている。そのため、試料液が空間部に供給された状態で作用電極と対電極の間に電圧を印加した際、作用電極と対電極との間の電荷移動が円滑になる。従って、極微量の試料液でも感度良く計測が可能となっている。
【０００６】
【特許文献１】
特開平１１−３５２０９３号公報
【０００７】
【発明が解決しようとする課題】
しかしながら、このような電極対向型のバイオセンサは、各電極の電気接続端子（バイオセンサ用測定装置に挿入した際、その測定装置の駆動電源に電気的に接続される部分）が一対の基板の上下にそれぞれ配置される。そのためユーザは視覚的にバイオセンサの上下の判別をしにくい。このため上下を誤ってバイオセンサをバイオセンサ用測定装置に挿入してしまう可能性がある。この場合、その測定装置における正確な測定ができなくなる。
また、一台のバイオセンサ用測定装置を、複数の基質の測定用のバイオセンサに簡便に誤らずに対応させること望まれるが、従来のバイオセンサ、あるいは従来のバイオセンサと従来のバイオセンサ用測定装置との組合せでは、それを実現できていない。
【０００８】
そこで、本発明は、ユーザによるバイオセンサ用測定装置への誤挿入を防止することのできるバイオセンサおよびバイオセンサ用測定装置を提供することを目的の一つとする。
本発明は、一台のバイオセンサ用測定装置を、複数の基質の測定用のバイオセンサに誤らずに簡便に対応させることも目的の一つとする。
【０００９】
【課題を解決するための手段】
上記課題を解決するために、本発明の第１の態様のバイオセンサは、第１電極を形成した絶縁性の第１基板と、第２電極を形成した絶縁性の第２基板とが、当該第１電極と当該第２電極とを対向させた状態で配置されたバイオセンサであって、前記第１電極には第１リードが接続され、前記第２電極には第２リードが接続され、前記第１基板は、前記第２基板の長手方向の端部に対応する位置から当該第１基板の長手方向に延出し、かつ前記第１リードの少なくとも一部を外部に露出している第１延出部を具備し、前記第２基板は、前記第１基板の短手方向の端部に対応する位置から当該第２基板の短手方向に延出し、かつ前記第２リードの少なくとも一部を外部に露出している第２延出部を具備するように構成されている。
この構成を有するバイオセンサは、ユーザによるバイオセンサ用測定装置への誤挿入の防止を容易に可能にする。
【００１０】
前記第２延出部が、前記第１基板の前記短手方向の両端部に対応する位置から前記第２基板の両短手方向に延出している複数の延出部を具備するバイオセンサ構成にしてもよい。この構成を有するバイオセンサは、第２基板の両短手方向に延出部を有することにより、バイオセンサの長手方向の中心線の両側での機械的バランスをとりやすい。
【００１１】
第１電極と第２電極とに接するように試料液を供給する試料液供給路と、前記試料液供給路を介して供給される試料液に含まれる複数の基質のうちの少なくとも１つの固有の基質に反応する試薬とを備え、前記第１基板または前記第２基板の形状が共通部分と非共通部分とを有し、前記非共通部分の形状が前記固有の基質に対応した固有形状であるバイオセンサ構成にしてもよい。この構成により、バイオセンサを対象とする基質に簡便に対応させることができる。
【００１２】
前記第１基板における前記第１延出部の位置、または前記第２基板における前記第２延出部の位置を、前記固有の基質に対応した固有位置とすることにより、前記第１基板または前記第２基板の形状が共通部分と非共通部分とを有するバイオセンサ構成にしてもよい。例えば、前記第２基板における前記第２延出部の前記固有位置が、前記固有の基質に対応して前記第２基板の長手方向に向かって左位置または右位置のいずれか一方の位置となるように構成してもよい。このような構成により、バイオセンサを対象とする基質に簡便に対応させることができる。
ここで、前記複数の基質をそれぞれグルコースおよび乳酸としてもよい。これにより、バイオセンサを、ユーザからの要望が最も大きいグルコースと乳酸とに簡便に対応させることができる。
【００１３】
前記バイオセンサを装着するセンサ装着部を備え、前記バイオセンサが前記センサ装着部に装着された時に、前記第１基板または前記第２基板の前記非共通部分に対応する前記センサ装着部内位置によって、前記バイオセンサの前記固有の基質を判別するようにバイオセンサ用測定装置を構成してもよい。この構成により、一台のバイオセンサ用測定装置を、複数の基質の測定用のバイオセンサに誤らずに簡便に対応させることができる。
【００１４】
また、前記センサ装着部は、前記バイオセンサを嵌合する統合嵌合部を具備し、前記統合嵌合部は、前記第１基板および前記第２基板の前記形状の前記共通部分に対応する第１領域と、前記非共通部分に対応する第２領域とを具備するようにバイオセンサ用測定装置を構成してもよい。この構成により、一台のバイオセンサ用測定装置を、複数の基質の測定用のバイオセンサに誤らずに簡便に対応させることができる。
【００１５】
また、前記統合嵌合部の前記第１領域に接するように配置されている１つの第１電気接続端子と、前記統合嵌合部の前記第２領域にそれぞれ接するように配置されている複数の第２電気接続端子とを備え、前記バイオセンサを前記統合嵌合部に嵌合した状態で、当該バイオセンサの前記第１リードおよび前記第２リードの一方を前記第１電気接続端子に接続し、他方のリードを前記複数の第２電気接続端子の１つに接続し、当該接続された第２電気接続端子により、前記統合嵌合部に嵌合したバイオセンサを判別するようにバイオセンサ用測定装置を構成してもよい。この構成により、一台のバイオセンサ用測定装置を、複数の基質の測定用のバイオセンサに誤らずに簡便に対応させることができる。
【００１６】
本発明の第２の態様のバイオセンサ用測定装置は、互いに対向して配置されている第１基板および第２基板を具備するバイオセンサを装着するセンサ装着部を備えたバイオセンサ用測定装置であって、前記センサ装着部は、前記バイオセンサの前記第１基板に対応する第１センサ装着部分と、前記バイオセンサの前記第２基板に対応する第２センサ装着部分とを具備し、当該第１センサ装着部分の幅と、当該第２センサ装着部分の幅とが異なるように構成されている。
この構成により、ユーザがバイオセンサを当該バイオセンサ用測定装置へ誤挿入することを防止できる。
【００１７】
前記バイオセンサ用測定装置において、前記センサ装着部に装着される前記バイオセンサについては、第１電極および当該第１電極に接続された第１リードを形成した絶縁性の前記第１基板と、第２電極および当該第２電極に接続された第２リードを形成した絶縁性の前記第２基板とが、当該第１電極と当該第２電極とを対向させた状態で配置されており、前記第１基板は、前記第２基板の長手方向の端部に対応する位置から当該第１基板の長手方向に延出し、かつ前記第１リードの少なくとも一部を外部に露出している第１延出部を具備し、前記第２基板は、前記第１基板の短手方向の端部に対応する位置から当該第２基板の短手方向に延出し、かつ前記第２リードの少なくとも一部を外部に露出している第２延出部を具備するように構成してもよい。この構成を有するバイオセンサ用測定装置においては、ユーザによる同測定装置へのバイオセンサの誤挿入を防止することができる。
【００１８】
また、前記バイオセンサ用測定装置において、前記センサ装着部に前記バイオセンサを装着した状態で、前記第１延出部に露出した前記第１リードに接続される第１電気接続端子および前記第２延出部に露出した前記第２リードに接続される第２電気接続端子と、前記第１電気接続端子および前記第２電気接続端子に電気的に接続されており、当該第１電気接続端子および当該第２電気接続端子を介して前記第１電極および前記第２電極に電圧を印加する駆動電源とを備えるように構成してもよい。この構成により、バイオセンサの測定対象である試料液に対して、測定に必要な電圧を簡便に印加することができる。
【００１９】
また、前記バイオセンサ用測定装置は、前記バイオセンサの前記第１電極と前記第２電極とに接するように供給される試料液に含まれる基質を測定するために、前記バイオセンサの前記第１電極および前記第２電極に流れる電流に基づいて演算処理を行う信号処理部と、前記信号処理部による演算処理の算出値を外部に出力する出力部とを備え、前記信号処理部による前記演算処理により前記基質の量を算出し、前記算出値を前記出力部に出力するように構成してもよい。この構成により、バイオセンサの測定対象である基質の量の算出と、その算出値の出力（表示）を簡便に行うことができる。
【００２０】
また、前記バイオセンサ用測定装置は、前記バイオセンサの前記第２延出部と当接することにより、前記センサ装着部に装着された前記バイオセンサを前記センサ装着部の外へ排出するための排出部材をさらに具備してもよい。この構成により、バイオセンサをバイオセンサ用測定装置から外へ簡便に排出することができる。
【００２１】
【発明の実施の形態】
以下、本発明の実施の形態について、図面を参照しながら詳細に説明する。本発明の以下に示す各実施の形態および各図面は例示を目的とし、本発明はこれらに限定されるものではない。
【００２２】
《実施の形態１》
図１Ａは、本発明の実施の形態１に係るバイオセンサシステム１を示す模式的斜視図である。図１Ｂは　図１Ａに示す破線円Ｂで囲まれた部分（ＤＲ０の方向に見た測定装置３の端部のセンサ装着部３０）を拡大した模式的拡大図である。また図１Ｃは、図１Ａに示す破線円Ｃで囲まれた部分（バイオセンサ２の端部）を拡大した模式的斜視図である。バイオセンサシステム１は、バイオセンサ２、バイオセンサ２を装着する測定装置３（バイオセンサ用測定装置）を有している。
【００２３】
このバイオセンサシステム１の各構成の詳細な説明に先立ち、このバイオセンサシステム１を用いた測定動作について概要を説明する。（ここで、「測定動作」は、試料液中の基質を定量する動作と、基質の存在を検知する動作のいずれをも含む。以下、本明細書において同じ）。
【００２４】
まず、ユーザは、バイオセンサ２の装着端部２０（図１Ａのバイオセンサ２において２点鎖線を付与した位置から測定装置３の側の端部位置までのバイオセンサ２の一端部分）を、図１Ａの矢印ＤＲ０の方向で測定装置３のセンサ装着部３０に挿入する。装着端部２０はバイオセンサ２の上下方向で形状が異なる（ここで、「バイオセンサの上下方向」は、後述するバイオセンサの一対の基板を積層させる方向を示す。以下、本明細書において同じ）。具体的には、図１Ａに示し、かつ後述するように、バイオセンサの下部における延出部と上部における延出部の延出方向が異なるように構成されている。
【００２５】
そして、センサ装着部３０を構成する空間は、上下方向で形状が異なるこの装着端部２０の形状に合致するように、あるいは対応するように形成されている。これら装着端部２０、センサ装着部３０の形状が、従来のバイオセンサおよび測定装置の形状と大きく異なる点である。そのためバイオセンサ２は、センサ装着部３０の形状に合致あるいは対応する上下方向を保った状態でセンサ装着部３０に挿入された場合のみ、測定装置３に装着されるようになっている。
【００２６】
次に、ユーザは、空気孔１９を有するバイオセンサ２の先端に形成された試料液点着部２１に試料液を点着する。試料液点着部２１をよりわかりやすく図示するために、図１Ａ中の破線円Ｃの部分を拡大したバイオセンサの一端部を拡大した部分拡大図を図１Ｃに示している。点着された試料液は、バイオセンサ２の内部に毛管現象により吸引される。すると、試料液に含まれる基質に反応する試薬（後述する）が試料液に溶解する。つづいて、測定装置３は、後述するバイオセンサ２の電極に電圧を印加して、試薬の反応に伴う電極間の電気化学的変化を検知する。測定結果は、測定装置３の表示部３１（出力部）に表示される。以上により測定動作が行われる。
【００２７】
ここで、本実施の形態１におけるバイオセンサシステム１において測定動作が可能な試料液と基質の例としては、試料液として、例えば血液（全血液の場合と、血漿や血清等の無細胞成分の場合とのいずれの場合をも含む）、間質液、皮膚液、汗、涙、尿等の生体液等を挙げることができ、また、基質として、例えばグルコース、コレステロール、乳酸等を挙げることができる。とりわけ、バイオセンサシステム１は、人体の血液中のグルコース、乳酸、コレステロールの定量に適している。ここでは、バイオセンサシステム１の各構成について、以下、人体の血液中に含まれるグルコースの定量を例にとって、より具体的に説明する。
【００２８】
はじめに、バイオセンサ２について図２Ａ、２Ｂを用いて説明する。図２Ａは、バイオセンサ２の模式的分解斜視図、図２Ｂは、バイオセンサ２の模式的斜視図である。
バイオセンサ２の各構成部材について説明する。作用電極２３およびその作用電極に電気的に接続されるリード２３０を支持する基板（第１基板）２２は、ポリエチレンテレフタレート等の絶縁性材料で形成されている。
【００２９】
この第１基板２２は、後述する第２基板２４に対して第１基板２２の長手方向（図２Ａ中の矢印ＤＲ１の方向、以下単に「長手方向」とする。）に延出した第１基板の延出部２２０（図２Ａ中の第１基板２２の上に付与した２点鎖線の位置から端部位置までの第１基板２２の一端部分：第１延出部）を有している。すなわち、第１延出部は、第１基板２２の一部であり、第２基板の長手方向の端部に対応する位置から第１基板の長手方向に延出した部分である。
【００３０】
また第１基板２２の表面には、この表面に、例えばパラジウム等の導電性材料をスパッタリングした後、レーザでトリミングすることにより、導電性の作用電極２３（第１電極）およびそれに接続される（連なる）リード２３０が形成され、また、第１延出部２２０上には、リード２３０の一部が形成され、外部に対して露出している。
【００３１】
対電極２５およびその対電極２５に電気的に接続されるリード２５０を支持する基板（第２基板）２４は、ポリエチレンテレフタレート等の絶縁性材料で形成されている。この第２基板２４は、第１基板に対して第２基板の短手方向に延出した２つの延出部２４０（第２延出部）を有している。すなわち、第２基板２４の第２延出部２４０は、第１基板２２の短手方向の両端部位置から、第２基板２４の短手方向（図２Ａ中の矢印ＤＲ２の方向、以下単に「短手方向」とする。）の両方に延出している。これらの第２延出部２４０は、図２Ａ中の第２基板２４の上に付与した長手方向に平行な２点鎖線の位置から、それぞれ短手方向の端部位置までの２つの端部分である。また、これは後述の図３Ｃにおいて点ｐ１、ｐ５、ｐ８、ｐ４で規定される部分および点ｐ６、ｐ２、ｐ３、ｐ７で規定される部分でもある。
【００３２】
第２基板２４の裏面には、この裏面に例えばパラジウム等の導電性材料をスパッタリングすることにより、第２基板２４の裏面を全て覆うように対電極２５（第２電極）およびそれに接続される（連なる）リード２５０が形成されている。このとき、第２延出部２４０の裏面上には、リードが全面に形成されている。なお、対電極２５およびリード２５０は、第２基板２４の表面にパラジウム等の導電性材料をスパッタリングした後、レーザでトリミングすることにより、第２基板２４の裏面の一部に形成しても良い。
【００３３】
作用電極２３と、対電極２５を離間させておくためにスペーサ部材２６を用いる。このスペーサ部材２６は、ポリエチレンテレフタレート等の絶縁性材料で形成される。そしてスペーサ部材２６は、前縁部中央に切り欠き部を有している。この切り欠き部は、スペーサ部材２６が第１基板２２と第２基板２４とに挟持されることにより、試料液点着部２１と試料液供給路２８を構成する。また、第２基板２４には、試料液供給路２８の端部に位置する空気孔２９が設けられている。
なお、本実施の形態１では、スペーサ部材として当初から板状の部材を用いているが、その替わりとして、接着剤を用い、いずれかの基板上に塗布し、その接着剤が適切な平板形状となるように両基板で挟持されるように構成することにより、スペーサ部材としてもよい。
【００３４】
試薬層２７は、少なくとも酵素を含む試薬を作用電極２３上に塗布することにより形成される。ここで試薬は、電子伝達体および親水性高分子を含むことが好ましい。本実施の形態１に係るバイオセンサシステム１の場合、人体の血液中のグルコースを定量するため、試薬層２７に担持されている酵素としてグルコースオキシダーゼが、電子伝達体としてフェリシアン化カリウムが、さらに親水性高分子としてカルボキシメチルセルロースが用いられる。
【００３５】
第１基板２２、第２基板２４およびスペーサ部材２６のための材料としては、絶縁性を有し、保存および測定時に充分な剛性を有するものを用いることができる。例えば、ポリエチレン、ポリスチレン、ポリ塩化ビニル、ポリアミドおよび飽和ポリエステル樹脂（上で例示したポリエチレンテレフタレートを含む）等の熱可塑性樹脂、ならびに尿素樹脂、メラミン樹脂、フェノール樹脂、エポキシ樹脂および不飽和ポリエステル樹脂等の熱硬化性樹脂を用いることができる。
【００３６】
作用電極２３、対電極２５およびリード２３０、２５０としては、パラジウム、金、銀、白金、カーボン等の一般的に用いられる導電性材料を用いることができる。なお、作用電極２３と、この作用電極２３に電気的に接続されるリード２３０とで異なる材料を用いて構成してもよい。また、対電極２５と、この対電極２５に電気的に接続されるリード２５０とで異なる材料を用いて構成してもよい。例えば、作用電極２３、対電極２５をカーボンで形成し、これらに電気的に接続されるリード２３０、２５０を、カーボンより低抵抗の銀でそれぞれ形成してもよい。
【００３７】
本実施の形態においては、上記のように親水性高分子としてカルボキシメチルセルロースを用いるが、一般的には、親水性高分子としては、カルボキシメチルセルロース以外にも、例えば、ヒドロキシエチルセルロース、ヒドロキシプロピルセルロース、メチルセルロース、エチルセルロース、エチルヒドロキシエチルセルロース、ポリビニルピロリドン、ポリビニルアルコール、ポリリジン等のポリアミノ酸、ポリスチレンスルホン酸、ゼラチンおよびその誘導体、ポリアクリル酸およびその塩、ポリメタアクリル酸およびその塩、スターチおよびその誘導体、ならびに無水マレイン酸の重合体または無水マレイン酸の塩の重合体を用いることができる。中でも、カルボキシメチルセルロース、ヒドロキシエチルセルロースおよびヒドロキシプロピルセルロースが好ましい。
【００３８】
本実施の形態１においては、基質すなわち測定対象としてグルコースを用いるが、一般的には、試料液中に含まれる基質すなわち測定対象に応じて、適切な酵素、電子伝達体を選択することによって、乳酸、コレステロールその他の基質の定量が可能である。
グルコース用の酵素としては、グルコースオキシダーゼ以外にも、たとえばグルコースデヒドロゲナーゼ等を用いることができる。
【００３９】
フルクトース用の酵素としてはフルクトースデヒドロゲナーゼ等、アルコール用の酵素としてはアルコールオキシダーゼ等、乳酸用の酵素としては乳酸オキシダーゼ等、コレステロール用の酵素としては、コレステロールオキシダーゼあるいはコレステロールエステラーゼ等、キサンチン用の酵素としてはキサンチンオキシダーゼ等、さらにアミノ酸用の酵素としてはアミノ酸オキシダーゼ等を用いることができる。
電子伝達体としては、フェリシアン化カリウム以外にも、たとえばｐ−ベンゾキノン、フェナジンメトサルフェート、メチレンブルーおよびフェロセン誘導体等、ならびにこれらの２種以上の組み合わせを用いることができる。
【００４０】
以上の各構成部材は、図２Ａに示したように各基板に対して垂直に伸びた１点鎖線の位置関係でもって重ね合わせられている。具体的には、第１基板２２と第２基板２４とは、作用電極２３と対電極２５とが対向するように積層されている。ここで、前述したように、作用電極２３と対電極２５の積層方向をバイオセンサ２の上下方向とする（図２Ａ中の矢印ＤＲ３の方向、以下単に「上下方向」とする）。
【００４１】
この第１基板２２と第２基板２４の両基板の間には、スペーサ部材２６が挟み込まれて、両基板と一体に配置されている。そして、スペーサ部材２６の切り欠き部と両基板とにより囲まれた空間が試料液供給路２８として形成されている。また、スペーサ部材２６の切り欠き部により、作用電極２３は一定の面積に規定されている。同様に、スペーサ部材２６の切り欠き部により、対電極２５も一定の面積に規定されている。作用電極２３と対電極２５とが、この試料液供給路２８を介して、互いに対向して配置されている。
【００４２】
試料液点着部２１は、試料液供給路２８の入口である。試料液点着部２１に点着された試料液は、毛細管現象により略水平方向（図２Ａ中の矢印ＤＲ４方向）に、空気孔２９に向かって吸引される。また、試薬層２７は、作用電極２３および対電極２５の間で、試料液が供給される試料液供給路２８内に配置されている。このような構成要素を図２Ａの垂直（各基板に垂直）な１点鎖線群で示される位置対応に基づいて接合されたバイオセンサ２を示す斜視図が図２Ｂである。なお、図２Ｂにおいては、例えば対電極２５およびリード２５０などの図示は省略している。（このような省略は、後述の図３Ｂ、図６Ｂ、図７Ｂ、図１２などの図においても行っている。）
【００４３】
バイオセンサ２は、形状の異なる第１基板２２および第２基板２４との重ね合わせにより、視覚的、触覚的にバイオセンサ２の上下方向および長手方向を容易に認識することが可能な形状となっている。具体的には、バイオセンサ２の形状は、第１延出部２２０および第２延出部２４０によって上下方向および長手方向に非対称となっている。すなわち上部の形状と下部の形状が異なり、さらに長手方向の先端部の形状と後端部の形状が異なっている。このことを次に示す図３Ａ、図３Ｂおよび図３Ｃを用いてさらに詳しく説明する。
【００４４】
図３Ａは、バイオセンサ２の長手方向における第１延出部２２０の端部側すなわち第２延出部２４０の端部側から見た（図２Ａ中の矢印ＤＲ１の反対方向にバイオセンサ２の長手方向の端部を見た）模式的端面図である。第２基板２４は、第１基板２２（第１延出部２２０を含む）に対して（すなわち第１基板の短手方向の両端部に対応する位置から）第２延出部２４０によって両短手方向に延出している。
【００４５】
そのため、図３Ａの端面図あるいは図３Ｃの上面図に図示されているように、バイオセンサ２の端面および上面は略Ｔ字型となり、上下方向（図２Ａ、図３Ａ中の矢印ＤＲ３方向）および長手方向（図２Ａ、図３Ｃ中の矢印ＤＲ１方向）に対して非対称となっている。すなわち上部の形状と下部の形状が異なり、さらに長手方向の先端部の形状と後端部の形状とが異なっている。そのため、ユーザはバイオセンサ２の上下方向および長手方向を容易に正しく認識することができる。すなわち、ユーザは、バイオセンサ２を測定装置３に装着する際に、第１基板２２と第２基板２４のいずれが上にあり、いずれが下にあるか、さらにいずれが先端側で、いずれが後端側であるかを視覚的、触覚的に容易に判別できる。
【００４６】
また、第２延出部２４０は、図３Ｃに図示されているように上面から見た場合、第１基板２２およびスペーサ部材２６に重ならず、外部に対して露出している。そのため、第２延出部２４０の裏面上に形成されているリード２５０も外部に対して露出している。この露出したリード２５０は、バイオセンサ２を測定装置３に装着した際、後述する測定装置３のコネクタ（電気接続端子）に電気的に接続される。
【００４７】
このリード２５０が露出しているため、リード２５０（ひいては対電極２５）と測定装置３のコネクタとの接続は容易になる。また、リード２５０は第２基板２４の裏面全面に形成されているため、対電極２５と測定装置３のコネクタとの電気的接続をより確実にすることができ、接続不良を防止することができる。この露出したリード２５０は、対電極２５を形成する際にその面積を拡大して形成することによりリード２５０の箇所をも同時に形成したものであってもよい。すなわち、リード２５０は対電極２５との一体層であってもよい。
【００４８】
図３Ｂは、バイオセンサ２の長手方向（図２Ａ、図３Ｂ中の矢印ＤＲ１方向）の模式的側面図、すなわち図２Ａの矢印ＤＲ２の方向にバイオセンサ２を見た側面図である。第１基板２２は、第２基板２４（第２延出部２４０を含む）に対して第１延出部２２０によって長手方向に延出している。すなわち、第１延出部２２０は、第２基板の長手方向の端部に対応する位置から第１基板の長手方向に延出している部分である。
【００４９】
バイオセンサ２は、この第１延出部２２０により、長手方向に対して非対称となっている。すなわち、図３Ｂにおいて、左部と右部の形状が異なる。この特徴によっても、ユーザは、視覚的、触覚的にバイオセンサ２の長手方向を認識することができる。すなわち、ユーザは、バイオセンサ２を測定装置３に装着する際に、第１延出部２２０の側、あるいは試料液点着部２１の側のいずれがセンサ装着部３０を向いているかを、視覚的、触覚的に容易に判別できる。
【００５０】
また、バイオセンサ２は、第１延出部２２０により、上下方向（図２Ａ、図３Ｂ中の矢印ＤＲ３方向）にも非対称となっている。そのため、ユーザはバイオセンサ２の上下方向を正しく認識することができる。すなわち、ユーザは、バイオセンサ２を測定装置３に装着する際に、第１基板２２と第２基板２４のいずれが上にあり、いずれが下にあるかを視覚的、触覚的に容易に判別できる。
【００５１】
図３Ｃは、バイオセンサ２の模式的上面図である。図３Ｂおよび図３Ｃに示されるように、第１延出部２２０は、第２基板２４、スペーサ部材２６と重ならず、外部に対して露出している。そして、第１延出部２２０上に形成されているリード２３０も外部に対して露出している。この露出したリード２３０は、バイオセンサ２を測定装置３に装着した際、後述する測定装置３のコネクタに電気的に接続される。
【００５２】
リード２３０が露出しているため、リード２３０と測定装置３のコネクタとの接続は容易となる。コネクタと接続されるリード２３０の面積を、第１延出部２２０の面積の範囲で広くすることができる。それにより、リード２３０と測定装置３のコネクタとの電気的接続をより確実にし、接続不良を防止することができる。この露出したリード２３０は、作用電極を形成する際に、その面積を拡大してリード２３０の箇所をも同時に形成してもよい。すなわち、リード２３０は作用電極との一体層であってもよい。
【００５３】
以上の説明からもわかるように、第１延出部２２０および第２延出部２４０を取り除いたと仮定した場合に残る部分（第１基板２２と第２基板２４の残る部分）が、第１基板２２と第２基板２４の形状の共通部分であり、第１延出部２２０と第２延出部２４０は、それぞれ第１基板２２と第２基板２４の形状の非共通部分である。
【００５４】
なお、例えば図３Ｃからもわかるように、第２延出部２４０は、第２基板２４の長手方向の左側および右側に対称に延出しているが、すなわち短手方向の両端部から対称に延出しているが、これを例えば短手方向の一端部からのみ（一方向のみ）延出するように、第２延出部２４０を形成してもよい。
【００５５】
なお、バイオセンサ２において、第１延出部２２０と第２延出部２４０の形状とが入れ替わっても構わない。すなわち、第１延出部２２０が第１基板２２の短手方向の端部から短手方向に延出し、第２延出部２４０が第２基板２４の長手方向の端部から長手方向に延出する構成にしても構わない。ただし、その場合は、そのバイオセンサ２の形状（形状変更）に対応して、測定装置３のセンサ装着部３０を形成する空間の形状を対応（変更）させることが必要である。
【００５６】
次に、上記のような図１Ａ、図１Ｂ、図２Ａ、図２Ｂ、図３Ａ、図３Ｂおよび図３Ｃを参照して説明したバイオセンサ２が装着される測定装置３について詳しく説明する。センサ装着部３０を形成する空間を、図１Ｂ（センサ装着部３０の拡大図）に示す。センサ装着部３０の挿入口をその挿入口に向かって見た場合、すなわち図１ＡのＤＲ０の方向に見た場合の当該挿入口は略Ｔ字状に形成されている。それは、バイオセンサ２の略Ｔ字状に形成された装着端部２０の形状（上記と同方向に見た場合の装着端部２０の端部形状）に合致させる、あるいは対応させるためである。このような形状対応にしているため、バイオセンサ２を上下逆方向には装着できない。
【００５７】
より詳細には、センサ装着部３０を形成する空間は、図１Ｂの拡大図で示しているように、図１ＡのＤＲ０の方向に見た場合、空間Ａ（入口が、図１Ｂ中の角点ａ１、ａ２、ａ９、ａ１０で規定される長方形：第１センサ装着部分）、空間Ｂ（入口が、図１Ｂ中の角点ａ２、ａ３、ａ８、ａ９で規定される長方形）、空間Ｃ（入口が、図１Ｂ中の点ａ４、ａ５、ａ６、ａ７で規定される長方形：第２センサ装着部分）の３つの空間により構成されている。すなわち、本実施の形態に示すセンサ装着部の空間は、全体として、複数の直方体のスロット形状が組み合わされた、スロット形状を有する。
【００５８】
空間Ａは、装着端部２０のうち、第１延出部２２０を含む第１基板２２に対応し、その第１基板２２の端部を嵌合するのに好適な大きさを有している。空間Ｂは、装着端部２０のうち、スペーサ部材２６に対応し、そのスペーサ部材２６の端部を嵌合するのに好適な大きさを有している。そして空間Ｃは、装着端部２０のうち、第２延出部２４０を含む第２基板２４に対応し、その第２基板の端部を嵌合するのに好適な大きさを有している。ここで、「好適な大きさ」とは、バイオセンサ２の各部を適切に嵌合する大きさの幅、厚み、奥行きを示す（なお、バイオセンサ２が装着された状態で、バイオセンサ２の短手方向、上下方向、長手方向にそれぞれ一致する方向を、センサ装着部３０の幅、厚み、奥行きとする）。
【００５９】
このとき、第１基板２２を嵌合する空間Ａの幅Ｗ２は、第２延出部２４０を含む第２基板２４を嵌合する空間Ｃの幅Ｗ１より狭い。そのため、空間Ａは、空間Ａの幅より広い第２基板２４を嵌合することができない。ゆえに、ユーザは、バイオセンサ２を、所定の上下方向（第２基板２４を上、第１基板２２を下）に対して、上下逆の方向（第２基板２４を下、第１基板２２を上）には装着できないようになっている。
【００６０】
また、第２基板２４を嵌合する空間Ｃの奥行きは、第１延出部２２０を含む第１基板２２を嵌合する空間Ａの奥行きよりも小さい。ゆえに、ユーザは、バイオセンサ２を所定の長手方向（センサ装着部３０に対し、装着端部２０を前方、試料液点着部２１を後方とする方向）に対して、前後逆の方向（センサ装着部３０に対し、試料液点着部２１を前方、装着端部２０を後方とする方向）に装着できないようになっている。
以上に記載した構成あるいは方法により、バイオセンサ２の測定装置３への誤った方向への挿入（上下、長手方向に逆向きに挿入）を、確実に防止することができる。
【００６１】
ここまでに説明したセンサ装着部３０について、さらに図１１を用いて説明を追加する。図１１は、上記測定装置３の筐体の端部に設けられた上記センサ装着部３０を透視した模式的斜視図である。図１Ｂで示した点ａ１〜ａ１０をそれぞれ図１１の筐体端部面上にも示している。それらの点ａ１〜ａ１０をバイオセンサ２の挿入方向、すなわち矢印ＤＲ０の方向に、第２延出部２４０の奥行き（ＤＲ０方向の長さ）にほぼ対応した距離だけ延長した位置に位置するのが、点ｂ１〜ｂ１０である。
【００６２】
それらのうちの点ｂ１、ｂ２、ｂ９、ｂ１０をそれぞれ矢印ＤＲ０の方向に、第１延出部２２０の奥行き（ＤＲ０方向の長さ）にほぼ対応した距離だけ延長した位置に位置するのが、点ｃ１、ｃ２、ｃ９、ｃ１０である。例えば図２Ｂにおける２つの第２延出部２４０と、それらの第２延出部２４０間に位置する第２基板の端部（これは図３Ｃにおける点ｐ５、ｐ６、ｐ７、ｐ８で規定される部分である）とからなる第２基板の端部平板部分（これは図３Ｃにおける点ｐ１、ｐ２、ｐ３、ｐ４で規定される部分である）が、図１１における点ａ４、ａ５、ａ６、ａ７、ｂ４、ｂ５、ｂ６、ｂ７で規定される直方体の空間、すなわち第２装着部分に嵌合あるいは対応するように構成されている。
【００６３】
同様に、図１１における点ａ２、ａ３、ａ８、ａ９、ｂ２、ｂ３、ｂ８、ｂ９で規定される直方体の空間に、スペーサ部材２６の端部が嵌合あるいは対応するように構成されている。
さらに、図１１における点ｂ１、ｂ２、ｂ９、ｂ１０、ｃ１、ｃ２、ｃ９、ｃ１０で規定される直方体の空間、すなわち第１装着部分（の一部）に、第１延出部２２０が嵌合あるいは対応するように構成されている。
【００６４】
電気接続について図１１を用いて付記すると、点ａ３、ａ４、ｂ３、ｂ４で規定される面上、および点ａ７、ａ８、ｂ７、ｂ８で規定される面上に、第２延出部２４０の裏面上に設けられたリード２５０と接するように電気接続端子（コネクタ）が設けられる。さらに、点ｂ２、ｂ９、ｃ２、ｃ９で規定される面（第１延出部２２０に対応する空間に面した面）の上にも、第１延出部２２０の面上に設けられたリード２３０と接するように電気接続端子（コネクタ）が設けられる。
【００６５】
次に、バイオセンサ２を測定装置３に装着した状態における測定動作について図１Ａ、図１Ｂ、図２Ａ、図２Ｂ、図３Ａ、図３Ｂ、図３Ｃおよび図４を参照して詳述する。
【００６６】
図４は、バイオセンサ２（上面図）と、測定装置３とを示す模式的ブロック図である。測定装置３において、コネクタ（接続端子）３２ａはバイオセンサ２の第１延出部２２０に露出しているリード２３０に電気的に接続される。コネクタ（接続端子）３２ｂは、バイオセンサ２の第２延出部２４０に露出しているリード（図４には図示せず。図２Ａ等に図示したリード２５０）に電気的に接続される。
【００６７】
スイッチ３３は、コネクタ３２ｂとグランド（定電位を意味し、必ずしも０である必要はない。）の間に設けられている。電位発生回路３８は、電流／電圧変換回路３４に接続されている。電流／電圧変換回路３４は、コネクタ３２ａに電気的に接続されている。この電流／電圧変換回路３４からの電圧値は、Ａ／Ｄ変換回路３５でパルスに変換される。また、メモリ３６は、演算テーブルを記憶している。
ここで演算テーブルとは、Ａ／Ｄ変換回路３５から出力されるパルス数と血液中のグルコース濃度との関係を示すデータを有するテーブルである。
【００６８】
ＣＰＵ３７は、スイッチ３３のオン・オフの制御や、Ａ／Ｄ変換回路３５から出力されるパルス値とメモリ３６に記憶されている演算テーブルとに基づく測定動作および演算動作等を行う。ＣＰＵ３７により測定および演算された対象基質（グルコース）の算出値は、ＬＣＤ（液晶表示デバイス）の表示部３１に表示される。なお、算出値を音声で外部に出力するようにしてもよいし、ネットワークを介して外部に出力（例えば、外部パーソナルコンピュータのハードディスクに記憶する等）してもよい。
【００６９】
ユーザは、バイオセンサ２を測定装置３に装着した状態において、血液を試料液点着部２１に点着する。点着された血液は、試料液供給路２８内部に毛管現象に基づき吸引される。この時、試薬層（図４には図示せず。図２Ａに図示した試薬層２７等）が血液中に溶解し、試薬層中の電子伝達体の酸化還元反応が進行する。具体的には、まず、試薬層に担持されている酵素であるグルコースオキシダーゼと、電子伝達体であるフェリシアン化カリウムが血液に溶解する。そして、血液中のグルコースとグルコースオキシダーゼによる酵素反応が進行し、その反応により生成される電子によってフェリシアン化カリウムがフェロシアン化カリウムに還元される。
【００７０】
また、カルボキシメチルセルロースの存在により、作用電極の表面へのたんぱく質などの吸着が抑制され、電極反応が円滑に進行するとともに、バイオセンサを測定する時に、試料の粘性が増加することに起因するセンサに加わる物理的衝撃などの影響が低減され、センサ応答のバラツキが低減される。
【００７１】
一定時間経過後、ＣＰＵ３７は、スイッチ３３をオン状態にする。すると、コネクタ３２ａ、３２ｂおよび各リードを介して、作用電極２３と対電極２５との間に一定の電位差（電位発生回路で発生した電位とグランドで示される電位との電位差）が生じる。つまり、対電極２５を基準とした一定の電圧が作用電極２３に印加される。
このとき、還元されてできたフェロシアン化カリウムがフェリシアン化カリウムに酸化されることにより、作用電極２３と対電極２５との間に血液中のグルコース濃度に比例した電流が流れる。
【００７２】
ここで、本実施の形態１に係るバイオセンサ２は、作用電極２３と対電極２５とが、試料液供給路２８を介してそれぞれ対向して配置されている。そのため、特にイオンの移動が円滑となる。そこで、極微量の血液でも血液中のグルコース濃度に比例した電流が流れる。（ここで、「極微量の血液」とは、作用電極と対電極とが同一平面状に形成されたバイオセンサが試料液として必要とする血液よりも少ない量の血液を意味する。以下、本明細書において同じ。）したがって、測定装置３は、極微量の血液でも感度良く測定動作を行うことができる。
【００７３】
この血液中のグルコース濃度に比例した電流は、電流／電圧変換回路３４により電圧に変換される。この電圧値はＡ／Ｄ変換回路３５によりパルスに変換され、ＣＰＵ３７に出力される。ＣＰＵ３７は、このパルス数をカウントする。そして、メモリ３６に記憶されている演算テーブルに基づき演算をすることにより、血液中のグルコース濃度を算出し、算出値をＬＣＤ（液晶表示デバイス）３１に表示する。以上により血液中のグルコースを定量することができる。
【００７４】
なお、本実施の形態１において、第１延出部２２０と、第２延出部２４０は、ユーザおよび測定装置３で識別可能という本発明あるいは本実施の形態の概念の範疇において、形状を変化させてもよい。
一つの変形例を図１２を用いて示す。図１２は、上記バイオセンサ、例えば図２Ｂのバイオセンサ２の一変形例としてのバイオセンサ１２を示す模式的斜視図である。
【００７５】
図１２において、第１基板１２２と第２基板１２４との間にスペーサ部材１２６が挟持されている。第１基板の端部には、第１延出部１２８が設けられている。第１延出部１２８の上にはその一部が外部に露出するリード１３０が形成されている。第２基板１２４には空気孔１２９が設けられている。図２Ｂのバイオセンサ２においては、第２延出部２４０の部分が第２基板の第１延出部側の端部に長方形の形で延出しているのに対し、このバイオセンサ１２の特徴は、第２延出部１２５を、第２基板１２４の空気孔１２９側端部から第１延出部側の端部にかけて徐々に幅が広くなるように構成されている点にある。このような構成によっても、本発明あるいは本実施の形態が解決しようとする課題を解決することができる。
【００７６】
このバイオセンサ１２の場合も、第１延出部と、第２延出部１２５の形状は入れ替わっても構わない。すなわち、第１延出部が短手方向に延出し、第２延出部１２５が長手方向に延出するようにしてもよい。もちろん、この変更に対応して、上記と同様なセンサ装着部の空間形状を変更する必要があるが、その変更は容易である。
【００７７】
《実施の形態２》
本実施の形態２は、測定対象が異なる複数種類のバイオセンサを、１つの測定装置で測定することが実施の形態１と異なる。以下、この異なる点を中心に説明する。
【００７８】
図５Ａは、本発明の実施の形態２に係るバイオセンサシステム４を示す模式的斜視図であり、図５Ｂは、図５Ａに示す破線円Ｂで囲まれた部分（ＤＲ５の方向に見た測定装置７の端部のセンサ装着部７０）を拡大した模式的拡大図である。バイオセンサシステム４は、バイオセンサ５、バイオセンサ６およびこれら各バイオセンサを装着して測定動作を行う測定装置７（バイオセンサ用測定装置）を有している。まず、このバイオセンサシステム４について概要を説明する。
【００７９】
バイオセンサ５とバイオセンサ６とは、測定対象が異なる別種類のバイオセンサである。これは、各バイオセンサの測定対象の基質が異なる、あるいは各バイオセンサが固有の基質に対応する、と換言することができる。そして、互いに形状が異なる。すなわち、各バイオセンサの第２基板は、固有の基質に対応した固有形状を有する。ユーザはこの形状の違いによって、互いに種類の異なる２つのバイオセンサを、視覚的、触覚的に容易に判別することができる。
【００８０】
測定装置７は、バイオセンサ５とバイオセンサ６とをぞれぞれ装着するセンサ装着部７０を備えている。センサ装着部７０の形状は、各バイオセンサが所定の上下方向を保った状態で挿入された場合のみに、各バイオセンサをそれそれ所定の位置に装着するように形成されている。そして測定装置７は、各バイオセンサが装着された位置、具体的には、装着されたバイオセンサがセンサ装着部７０の中で占める空間、あるいは装着されたバイオセンサとセンサ装着部７０との接触場所、によって、各バイオセンサの種類を判別する。測定装置７は、判別したバイオセンサに応じて測定動作を行い、結果をＬＣＤ等の表示部７１（出力部）に表示する。これにより、ユーザは測定対象が異なる別種類のバイオセンサを、１つの測定装置７を用いて測定することが可能である。
【００８１】
ここで、本実施の形態２におけるバイオセンサシステム４も、実施の形態１と同様に、測定動作が可能な試料液と基質との組み合わせの例としては次のようなものを用いることができる。すなわち、試料液としては、例えば血液、間質液、皮膚液、汗、涙、尿等の生体液等を用い、基質としては例えばグルコース、コレステロール、乳酸等を用いることができる。
【００８２】
とりわけ、バイオセンサシステム４は、人体の血液中のグルコース、乳酸、コレステロールの定量をすることに適している。実施の形態１との違いは、基質として少なくとも２種類を選択することができる点である。以下に、バイオセンサシステム４の各構成について、人体の血液中に含まれるグルコースと、同じく血液中に含まれる乳酸との定量を例にとって、より具体的に説明する。
【００８３】
まず、各々のバイオセンサ５、６について、それぞれ図６Ａ、図６Ｂ、図７Ａ、図７Ｂを用いて説明する。図６Ａは、バイオセンサ５の模式的分解斜視図、図６Ｂは、バイオセンサ５の模式的斜視図である。また、図７Ａは、バイオセンサ６の模式的分解斜視図、図７Ｂは、バイオセンサ６の模式的斜視図である。
【００８４】
バイオセンサ５は、血液中に含まれるグルコースを測定するためのバイオセンサ（グルコースセンサ）である。図６Ａに示すバイオセンサ５は、試料液点着部５１、作用電極用の第１基板５２、第１延出部５２０（図６Ａの第１基板５２の上に付与した２点鎖線の位置から長手方向の端部位置までの第１基板５２の端部）、作用電極（第１電極）５３、作用電極５３に連なり第１延出部５２０上に至るまで第１基板上に配置されているリード５３０、対電極用の第２基板５４、第２延出部５４０（図６Ａの第２基板５４の上に付与した２点鎖線の位置から短手方向に延出した第２基板５４の一部）、対電極（第２電極）５５、対電極５５に連なり第２延出部５４０の裏面上に至るまで第２基板の裏面上に配置されているリード５５０、スペーサ部材５６、試薬層５７、試料液供給路５８および空気孔５９を備えている。
【００８５】
これら各々の構成要素は、実施の形態１に係るバイオセンサ２における同一名称の各構成要素と同様の構成を有し、また同様の機能を有しているので詳細な説明は省略する。なお、本実施の形態２において、上下方向、長手方向、短手方向の定義は、実施の形態１と同様に定義する。例えば、各基板を積層する方向を上下方向とする。
【００８６】
バイオセンサ５がバイオセンサ２と異なるのは、対電極用の第２基板５４に設けられた第２延出部５４０の形状である。すなわち、バイオセンサ５の第２延出部５４０は、第１基板５２に対して第２基板５４の短手方向の一方のみに延出している。すなわち、第２基板５４の短手方向の端部に対応する位置（図６Ａ、図６Ｂに示す第２基板の上に付与した長手方向に平行な２点鎖線の位置）から第１基板５２の短手方向の一方のみに延出している。そしてこの方向は、バイオセンサ５の第２基板５４を上に、第１基板５２を下にして、図５Ａに示す矢印ＤＲ５の方向で測定装置７に挿入する場合、矢印ＤＲ５の方向に向かって右側である。
【００８７】
以上の各構成要素は、図６Ａに示した垂直に伸びた１点鎖線群の位置関係でもって重ね合わされ、図６Ｂのように接合されている。各構成要素の配置については、バイオセンサ２の場合と同様であり説明は省略する。このように構成されたバイオセンサ５は、形状の異なる第１基板５２および第２基板５４との重ね合わせにより、ユーザが視覚的、触覚的にバイオセンサ５の上下方向および長手方向を容易に認識可能な形状となっている。
【００８８】
バイオセンサ６は、血液中に含まれる乳酸を測定するためのバイオセンサ（乳酸センサ）である。図７Ａに示すバイオセンサ６は、試料液点着部６１、作用電極用の第１基板６２および第１延出部６２０（図７Ａの第１基板６２の上に付与した２点鎖線の位置から長手方向の端部位置までの第１基板６２の端部）を備えている。ここで、第１延出部６２０は、測定装置７の構造を簡単にするために、バイオセンサ５の第１延出部５２０と同じ形状、大きさにすることが好ましい。
【００８９】
バイオセンサ６は、さらに、作用電極（第１電極）６３、作用電極６３に連なり第１延出部６２０上に至るまで第１基板上に配置されているリード６３０、対電極用の第２基板６４、第２延出部６４０（図７Ａの第２基板６４の上に付与した２点鎖線の位置から図６Ａの第２延出部５４０と反対方向の短手方向に延出した第２基板６４の一部）、対電極（第２電極）６５、対電極６５に連なり第２延出部６４０の裏面上に至るまで第２基板の裏面上に配置されているリード６５０、スペーサ部材６６、試薬層６７、試料液供給路６８および空気孔６９を備えている。これら各々の構成要素は、バイオセンサ５における同一名称の各構成要素と同様の構成を有し、また同様の機能を有しており説明は省略する。
【００９０】
バイオセンサ６がバイオセンサ５と異なるのは、次の２点である。第１の相違点は、第２基板６４に設けられた第２延出部６４０の延出方向である。これにより第２基板６４の形状が、バイオセンサ５の第２基板５４の形状と異なるという点である。具体的には、第２延出部６４０は、第１基板６２に対して第２基板６４の短手方向の一方のみに延出している。そしてこの方向は、バイオセンサ６の第２基板６４を上に、第１基板６２を下にして矢印ＤＲ５の方向で測定装置７に挿入する場合、矢印ＤＲ５の方向に向かって左側である。
すなわち、各バイオセンサ５および６の非共通部分が固有形状を有する。具体的には、各バイオセンサの非共通部分である第２延出部の位置が固有位置である。
【００９１】
第２の相違点は、試薬層６７に担持されている試薬が異なるという点である。具体的には、試薬の成分の中で、電子伝達体としてフェリシアン化カリウムが用いられるという点は同じであるが、酵素としてグルコースオキシダーゼの替わりに乳酸オキシダーゼが用いられるという点が異なる。
第１および第２の相違点は、各バイオセンサの第２基板の形状の非共通部分が、固有の基質に対応して固有形状を有する、あるいは固有の基質に対応して固有位置に位置する、と換言することができる。
【００９２】
以上の各構成要素は、図７Ａに示した垂直に伸びた１点鎖線群の位置関係でもって重ね合わされ、図７Ｂのように接合されている。バイオセンサ６の各構成要素の基本的な配置については、上記の２つの相違点を除けば、バイオセンサ５の場合と同様であり説明は省略する。
このように構成されたバイオセンサ６は、上記のように互いに形状の異なる第１基板６２および第２基板６４の重ね合わせにより、ユーザが視覚的、触覚的にバイオセンサ６の上下方向および長手方向を容易に認識可能な形状となっている。
【００９３】
また、バイオセンサ５の第２延出部５４０と、バイオセンサ６の第２延出部６４０は、延出する方向が逆方向であり、その結果、両バイオセンサの第２基板５４と第２基板６４の形状が異なる、すなわちそれぞれ固有形状を有する。そのため、ユーザは、視覚的、触覚的に各々のバイオセンサを容易に判別することが可能である。
【００９４】
次に、これらのバイオセンサ５およびバイオセンサ６を装着する測定装置７について、詳細を説明する。
測定装置７のセンサ装着部７０は、バイオセンサ５を装着した場合と、バイオセンサ６を装着した場合とで、第２延出部がそれぞれ異なる位置に装着する形状を有している。このセンサ装着部７０の構造を、図５Ｂに示すセンサ装着部７０の拡大図（矢印ＤＲ５の方向にセンサ装着部７０を見た図）を用いて説明する。
【００９５】
センサ装着部７０は図５Ｂに示す空間Ｄ、Ｅ、Ｆからなる挿入口の面を有している。すなわちその挿入口は略Ｔ字状に形成されており、各第２基板が上になる状態で挿入した場合、矢印ＤＲ５の方向に向かって第２延出部５４０が右側に位置するバイオセンサ５、第２延出部６４０が左側に位置するバイオセンサ６のいずれをも装着することができる。より詳細には、センサ装着部７０を形成する空間は、空間Ｄ（入口の断面が、図５Ｂ中の点ｄ１、ｄ５、ｄ６、ｄ１０で規定される長方形）、空間Ｅ（入口の断面が、図５Ｂ中の点ｄ９、ｄ６、ｄ７、ｄ８で規定される長方形）および空間Ｆ（入口の断面が、図５Ｂ中の点ｄ２、ｄ３、ｄ４、ｄ５で規定される長方形）の３つの空間により構成されている。
【００９６】
バイオセンサ５は、センサ装着部７０の空間ＤとＥに嵌合される、あるいは対応する。このとき空間Ｅには、バイオセンサ５の第２延出部５４０が嵌合される。一方、バイオセンサ６は、センサ装着部７０の空間ＤとＦに嵌合される、あるいは対応する。このとき空間Ｆには、バイオセンサ６の第２延出部６４０が嵌合される。
【００９７】
すなわち、空間Ｄは、両方のバイオセンサが嵌合される部分、あるいは両方のバイオセンサに対応する部分である（第１領域）。空間ＥおよびＦは、一方のバイオセンサのみ（一方のバイオセンサの第２延出部のみ）が嵌合される部分である（第２領域）。また、バイオセンサ５の第２基板５４が嵌合される空間の幅（図５Ｂ中でＷ３＋Ｗ４で表される）は、第１基板５２が嵌合される空間の幅（図５Ｂ中でＷ３で表される）よりも広い。同様に、バイオセンサ６の第２基板６４が嵌合される空間の幅（図５Ｂ中でＷ３＋Ｗ５で表される）は、第１基板６２が嵌合される空間の幅（図５ＢでＷ３で表される）よりも広い。
【００９８】
したがって、ユーザは、各バイオセンサ５、６をそれぞれ上下逆の方向には、すなわち第２基板５４（６４）を下、第１基板５２（６２）を上、には装着できない。このような構成は、図１１に示すセンサ装着部３０の部分を透視した模式的斜視図にも対応する。
【００９９】
また、空間Ｄのうちの下部空間は、バイオセンサ５、６の第１延出部５２０、６２０を嵌合する、あるい第１延出部５２０、６２０に対応する奥行きを含めた形状を有している。これは例えば、図１１に示す点ｂ１、ｂ２、ｂ９、ｂ１０、ｃ１、ｃ２、ｃ９、ｃ１０で規定される直方体の形の空間に第１延出部５２０、６２０が嵌合、あるいは対応することを意味する。すなわち、図１１を参照して記載すると、当該奥行きとは、ｃ１、ｃ２、ｃ９、ｃ１０で規定される空間の端面の位置まで、第１延出部を装着するための空間が存在することを意味する。
【０１００】
そのためユーザは、各バイオセンサ５、６を、前後逆の方向には、すなわち、センサ装着部７０に対し、試料液点着部５１（６１）を前方、第１延出部５２０（６２０）を後方とするような方向には、装着できない。
以上記載したバイオセンサおよびセンサ装着部の構成により、ユーザによるバイオセンサ５、６の測定装置７への誤った方向への挿入（上下、長手方向に逆向きに挿入）を、確実に防止することができる。
【０１０１】
次に、バイオセンサ５、６を測定装置７に装着した状態における試料液の測定動作について、図６Ａ、図６Ｂ、図７Ａ、図７Ｂ、図８Ａおよび図８Ｂを参照して詳述する。図８Ａは、バイオセンサ５（上面図）と、測定装置７とを示す模式的ブロック図である。また図８Ｂは、バイオセンサ６（上面図）と、測定装置７とを示す模式的ブロック図である。
【０１０２】
図８Ａおよび図８Ｂにおける測定装置７において、コネクタ（第１接続端子）７２ａは、バイオセンサ５、６の第１延出部５２０、６２０に露出しているリード５３０、６３０に電気的に接続される。このコネクタ７２ａは、センサ装着部７０の空間Ｄ（図５Ｂに示す）に接するように形成されている。コネクタ（第２接続端子）７２ｂは、バイオセンサ５の第２延出部５４０に露出しているリード５５０に接続される。このコネクタ７２ｂは、センサ装着部７０の空間Ｅ（図５Ｂに示す）に接するように形成されている。コネクタ（第２接続端子）７２ｃは、バイオセンサ６の第２延出部６４０に露出しているリード６５０に接続される。このコネクタ７２ｃは、センサ装着部７０の空間Ｆ（図５Ｂに示す）に接するように形成されている。
【０１０３】
また、スイッチ７３ｂが、コネクタ７２ｂとグランドとの間に、スイッチ７３ｃが、コネクタ７２ｃとグランドとの間にそれぞれ設けられている。電位発生回路７８は、電流／電圧変換回路７４に接続されている。コネクタ７２ａに、電流／電圧変換回路７４が電気的に接続されている。この電流／電圧変換回路７４からの電圧値をＡ／Ｄ変換回路７５はパルスに変換する。メモリ７６は、第１の演算テーブルおよび第２の演算テーブルを記憶している。ここで第１の演算テーブルは、Ａ／Ｄ変換回路７５から出力されるパルス数と血液中のグルコース濃度との関係を示すテーブルである。また、第２の演算テーブルは、Ａ／Ｄ変換回路７５から出力されるパルス数と血液中の乳酸濃度との関係を示すテーブルである。
【０１０４】
ＣＰＵ７７は、スイッチ７３ｂ、７３ｃのオン・オフの制御や、Ａ／Ｄ変換回路７５からの出力されるパルス値とメモリ７６に記憶されている第１または第２演算テーブルとに基づく測定動作および演算等を行う。ＣＰＵ７７により演算された算出値は、ＬＣＤ（液晶表示デバイス）等の表示部７１に表示される。なお、算出値は、音声等で外部に出力しても良いし、ネットワークを介して外部に出力（例えば、外部パーソナルコンピュータのハードディスクに記憶する等）してもよい。
【０１０５】
はじめに、バイオセンサ５を装着した場合について図８Ａ、図６Ａおよび図６Ｂを参照して説明する。バイオセンサ５が装着されると、作用電極５３に電気的に接続されているリード５３０がコネクタ７２ａに、対電極５５に電気的に接続されているリード５５０がコネクタ７２ｂに接続される。
【０１０６】
ユーザは、バイオセンサ５を測定装置７に装着した状態において、血液を試料液点着部５１に点着する。点着された血液は、試料液供給路５８内部に毛管現象により吸引される。すると、試薬層５７が溶解し、酸化還元反応が進行する。具体的には、試薬層５７に担持されている酵素であるグルコースオキシダーゼと、電子伝達体であるフェリシアン化カリウムとが血液に溶解する。そして、血液中のグルコースとグルコースオキシダーゼとの酵素反応が進行し、その反応により生成される電子によって、フェリシアン化カリウムがフェロシアン化カリウムに還元される。
【０１０７】
このとき測定装置７は、装着されているバイオセンサが、バイオセンサ５であるか、バイオセンサ６であるかを判別する。具体的には、ＣＰＵ７７はスイッチ７３ｂ、７３ｃを交互にオン・オフ状態にし、コネクタ７２ａ、７２ｂ間と、コネクタ７２ａ、７２ｃ間とに交互に電圧を印加する。これによりＣＰＵ７７は、導通のあるコネクタの組を検知する。
【０１０８】
コネクタ７２ａ、７２ｂ間が導通している場合は、装着されているバイオセンサがバイオセンサ５すなわちグルコースセンサであると認識する。またコネクタ７２ａ、７２ｃ間が導通している場合は、装着されているバイオセンサがバイオセンサ６すなわち乳酸センサであると認識する。ここでは、バイオセンサ５が装着されているので、導通があるのはコネクタ７２ａ、７２ｂ間である。そこでＣＰＵ７７は装着されているバイオセンサがバイオセンサ５であると認識する。
【０１０９】
一定時間経過後、ＣＰＵ７７は、スイッチ７３ｂをオン状態にする。すると、コネクタ７２ａ、７２ｂおよび各リードを介して、作用電極５３と対電極５５との間に一定の電位差（電位発生回路で発生した電位とグランドで示される電位との電位差）が生じる。つまり、対電極５５を基準に一定の電圧が作用電極５３に印加される。このとき、還元されたフェロシアン化カリウムがフェリシアン化カリウムに酸化されることにより、作用電極５３と対電極５５との間に血液中のグルコース濃度に比例した電流が流れる。
【０１１０】
バイオセンサ５は、作用電極５３および対電極５５が、試料液供給路５８を介してそれぞれ対向して配置されている。そのため特にイオンの移動は円滑となり、極微量の血液でも、血液中のグルコース濃度に比例した電流が流れる。ゆえに、測定装置７は、極微量の試料液でも感度良く測定動作を行うことができる。
【０１１１】
この電流は、電流／電圧回路７４により電圧に変換される。そしてこの電圧値はＡ／Ｄ変換回路７５によりパルスに変換され、ＣＰＵ７７に出力される。ＣＰＵ７７は、このパルス数をカウントする。ここで、ＣＰＵ７７は、装着されているバイオセンサがバイオセンサ５（グルコースセンサ）と認識しているので、メモリ７６に記憶されている第１の演算テーブルを選択する。そして、ＣＰＵ７７は、この第１の演算テーブルに基づき演算することにより、血液中のグルコース濃度を算出し、算出値をＬＣＤ７１に表示する。
【０１１２】
次に、バイオセンサ６を装着した場合について、図８Ｂ、図７Ａおよび図７Ｂを参照して説明する。バイオセンサ６が装着されると、作用電極６３に電気的に接続されているリード６３０がコネクタ７２ａに、対電極６５に電気的に接続されているリード６５０がコネクタ７２ｃに接続される。
【０１１３】
ユーザは、バイオセンサ６を測定装置７に装着した状態において、血液を試料液点着部６１に点着する。点着された血液は、試料液供給路６８内部に毛管現象により吸引される。この時、試薬層６７（図示せず）が溶解し、酸化還元反応が進行する。具体的には、試薬層６７に担持されている酵素である乳酸オキシダーゼと、電子伝達体であるフェリシアン化カリウムとが血液に溶解する。そして、血液中の乳酸と乳酸オキシダーゼとの酵素反応が進行し、その反応により生成される電子により、フェリシアン化カリウムがフェロシアン化カリウムに還元される。
【０１１４】
このときＣＰＵ７７はスイッチ７３ｂ、７３ｃを交互にオン・オフ状態にし、コネクタ７２ａ、７２ｂ間と、コネクタ７２ａ、７２ｃ間とに交互に電圧を印加することで導通のあるコネクタの組を検知する。ここでは、バイオセンサ６が装着されているので、導通があるのはコネクタ７２ａ、７２ｃ間である。そこでＣＰＵ７７は装着されているバイオセンサがバイオセンサ６であると認識する。
【０１１５】
一定時間経過後、ＣＰＵ７７は、スイッチ７３ｃをオン状態にする。すると、コネクタ７２ａ、７２ｃおよび各リードを介して、作用電極６３と対電極６５との間に一定の電位差（電位発生回路で発生した電位とグランドで示される電位との電位差）が生じる。つまり、対電極６５を基準とする一定の電圧が作用電極６３に印加される。このとき、還元されたフェロシアン化カリウムがフェリシアン化カリウムに酸化されることにより、作用電極６３と対電極６５との間に血液中の乳酸濃度に比例した電流が生じる。
【０１１６】
バイオセンサ６は、作用電極６３と対電極６５とが、試料液供給路６８を介してそれぞれ対向して配置されている。そのため特にイオンの移動は円滑となり、極微量の血液でも、血液中の乳酸濃度に比例した電流が流れる。ゆえに、測定装置７は、極微量の試料液でも感度良く測定動作を行うことができる。この電流は、電流／電圧回路７４により電圧に変換される。この電圧値はＡ／Ｄ変換回路７５によりパルスに変換され、ＣＰＵ７７に出力される。ＣＰＵ７７は、このパルス数をカウントする。ここで、ＣＰＵ７７は、装着されているバイオセンサが乳酸センサと認識しているので、メモリ７６に記憶されている第２の演算テーブルを選択する。そして、ＣＰＵ７７は、この第２の演算テーブルに基づき演算することにより、血液中の乳酸濃度を算出し、算出値をＬＣＤ７１に表示する。
【０１１７】
以上記載した構成により、ユーザは、グルコースセンサと乳酸センサとを１つの測定装置７で測定することができる。この２つのセンサの組み合わせは、例えば、糖尿病の治療時に行われる運動療法時に用いることができる。具体的には、ユーザは、グルコースセンサを用いて血液中のグルコース濃度を測定することにより血糖値を把握し、乳酸センサを用いて血中乳酸量を測定することにより運動の負荷度合いを見積もることができる。１つの測定装置７で複数の測定対象を測定できるので、ユーザにとって便利である。
【０１１８】
なお、バイオセンサ５、６の組み合わせは、上で例示的に記載した組み合わせに限定されるものではない。例えば、臨床検査などで利用が想定されるグルコースセンサとコレステロールセンサとの組み合わせ等でも同様に、本実施の形態のような巧みな構成を用いることにより、１つの測定装置で必要な複数の測定対象を測定することができる。
【０１１９】
また、各バイオセンサ５（６）において、第１延出部５２０（６２０）と、第２延出部５４０（６４０）の形状は入れ替わっても構わない。すなわち、第１延出部５２０（６２０）が短手方向に延出し、第２延出部５４０（６４０）が長手方向に延出してもよい。この場合、測定装置７のセンサ装着部７０は、バイオセンサ５、６の形状に合致または対応するような形状を有すればよい。
【０１２０】
さらには、形状を各々変化させた３種類以上のバイオセンサを、１つの測定装置で測定することもできる。この場合、測定装置のセンサ装着部７０を各バイオセンサの形状に合わせて変化させ、またメモリ７６に各バイオセンサに合わせた演算テーブルを記憶するようにすればよい。
【０１２１】
また、実施の形態１において、図１２を参照してバイオセンサの形状の変形例を示したが、本実施の形態２においても図１２で示した例などの本発明の概念の範疇で、種々の変形例を用いてもよい。
【０１２２】
さらに、実施の形態１、２において、各測定装置にバイオセンサを排出しやすくするためのバイオセンサ排出機構を備えておいてもよい。その一例を図９、図１０Ａ、図１０Ｂおよび図１０Ｃを参照して説明する。ただし、実施の形態１および２と同様な構成要素については概略説明にとどめ、バイオセンサ排出機構については詳細に説明する。
【０１２３】
図９は、バイオセンサ９２を排出するためのバイオセンサ排出機構を有した測定装置９３を具備したバイオセンサシステム９１を示す模式的斜視図である。測定装置９３には表示部９３１も備えられている。
図１０Ａ、図１０Ｂおよび図１０Ｃは、図９で示す測定装置９３の筐体の壁１０３に設けた２つのスリット状の開口部９４２の一方の開口部の長さ方向の中心を通る断面Ｙ−Ｙ’でそれぞれ切った、測定装置９３の一端部についての模式的断面図である。
【０１２４】
バイオセンサ９２は、第１基板９２２が第１延出部９２０を有し、第２基板９２４が第２延出部９４０を有する。両基板の間にはスペーサ部材９２６が挟持されている。図９に示す矢印ＤＲ０の方向に、バイオセンサ９２は測定装置９３のセンサ装着部９３０に挿入され装着される。装着部９３０の中に入る、あるいは嵌合するのは、バイオセンサ９２の一部（バイオセンサ９２のうち、図９のバイオセンサ９２の上に付与した矢印ＤＲ０の方向に垂直な２点鎖線の位置から、測定装置９３側の端部位置までの一端部）だけである。
【０１２５】
図１０Ａおよび図１０Ｃにおいて、センサ装着部９３０の空間１０４は、第２基板９２４の第２延出部９４０および第２延出部９４０の間の第２基板９２４の端部に対応する空間である。空間１０５は、スペーサ部材９２６と第１基板９２２に対応する。特に端部空間１０６は、第１基板９２２の第１延出部９２０に対応する。これを図１１を参照して補足すると、空間１０４は、図１１における点ａ４、ａ５、ａ６、ａ７、ｂ４、ｂ５、ｂ６、ｂ７で規定される直方体の空間に対応する。また、空間１０６は、図１１における点ｂ１、ｂ２、ｂ９、ｂ１０、ｃ１、ｃ２、ｃ９、ｃ１０で規定される直方体の空間に対応する。
【０１２６】
センサ排出部材９４は２つのフィンガー９４１を有し（図１０Ａ、図１０Ｂおよび図１０Ｃには一方のみが示されている）、それぞれが２つのスリット状の開口部９４２を通り空間１０４および空間１０５の中に伸びている。センサ排出部材９４は、その測定装置９３の筐体の外部に露出している露出部をユーザがＤＲ０の方向およびその逆方向に手動で動かすことにより、あるいは、ＤＲ０の方向にバイオセンサ９２をセンサ装着部９３０に挿入することにより、摺動自在に動くことができるように構成されている。
【０１２７】
図１０Ａに示された位置にセンサ排出部材９４が位置しているときに、バイオセンサ９２をセンサ装着部９３０に挿入すると、まず、バイオセンサ９２の第２延出部９４０がセンサ排出部材９４のフィンガー９４１に当接する。その位置からバイオセンサ９２をさらにセンサ装着部９３０の内部に向かって押し込むと、図１０Ｂに示したような状態になる。すなわち、バイオセンサ９２の第１延出部９２０が空間１０６においてセンサ装着部９３０に嵌合し、同時に、フィンガー９４１が、スリット状の開口部の端部にまで押し込まれる。
【０１２８】
図１０Ｂに示された位置にセンサ排出部およびバイオセンサ９２が位置しているときに、ユーザが、センサ排出部材９４の上記露出部を測定装置の端部の方向に（図１０Ｂにおいて左側へ）押すと、図１０Ｃに示すように、バイオセンサ９２はセンサ装着部９３０の外へ排出される。すなわち、図１０Ａ、図１０Ｂおよび図１０Ｃに示すバイオセンサ排出機構においては、バイオセンサの第２延出部と排出部材のフィンガーとが当接し、押込み力および押出し力の授受がなされる。
このような構成のバイオセンサ排出機構によれば、例えば、ユーザがバイオセンサに触れることなくバイオセンサを廃棄することも可能となり、衛生上有利である。
【０１２９】
さらに詳述は省略するが、このようなバイオセンサ排出機構は、上で例示したようなバイオセンサを個別に扱う個別バイオセンサ方式に用いることができるのみならず、複数のバイオセンサを収容するカートリッジ方式にも応用することができる。カートリッジの一例は、複数のバイオセンサを、円筒面上に、バイオセンサの長手方向が円筒の中心線に平行になるように並べて収納するような円筒状カートリッジである。カートリッジの別例は、複数のバイオセンサを、円形ディスク面上に、バイオセンサの長手方向が円形ディスクの中心に向かうように放射状に並べて収納するような円形ディスク状カートリッジである。
【０１３０】
そのようなカートリッジに収納された１つのバイオセンサが、そのバイオセンサの長手方向の端部（たとえば図１のバイオセンサ装着端部２０の測定装置側端部）が測定装置のセンサ装着部（たとえば図１のセンサ装着部３０）に対向するように、そのようなカートリッジを測定装置に隣接させて配置する。その対向したバイオセンサをセンサ装着部に装着し、目的とする測定をした後、そのバイオセンサを測定装置からバイオセンサ排出機構を用いて（カートリッジにおけるそのバイオセンサの元の収容場所に戻すように、あるいは単に測定装置から排出するように）排出するように構成することができる。このようなカートリッジ方式によれば、複数のバイオセンサのセンサ装着部への装着と、センサ装着部からの排出とを、共に容易に行うことができる。
【０１３１】
【発明の効果】
本発明によれば、ユーザによる測定装置への誤挿入を防止することのできるバイオセンサおよびバイオセンサ用測定装置を容易に提供することができるようになる。さらに、複数の種類の異なったバイオセンサを一台の測定装置にて簡便に測定することができる。
【図面の簡単な説明】
【図１Ａ】本発明の実施の形態１に係るバイオセンサシステムを示す模式的斜視図である。
【図１Ｂ】図１Ａに示す破線円Ｂで囲まれた部分（ＤＲ０の方向に見た測定装置３の端部のセンサ装着部３０）を拡大した模式的拡大図である。
【図１Ｃ】図１Ａに示す破線円Ｃで囲まれた部分（バイオセンサ２の端部）を拡大した模式的斜視図である。
【図２Ａ】同実施の形態１に係るバイオセンサの模式的分解斜視図である。
【図２Ｂ】同実施の形態１に係るバイオセンサの模式的斜視図である。
【図３Ａ】同実施の形態１に係るバイオセンサの模式的端面図である。
【図３Ｂ】同実施の形態１に係るバイオセンサの模式的側面図である。
【図３Ｃ】同実施の形態１に係るバイオセンサの模式的上面図である。
【図４】同実施の形態１に係るバイオセンサと測定装置の構成の一例を示す模式的ブロック図である。
【図５Ａ】本発明の実施の形態２に係るバイオセンサシステムを示す模式的斜視図である。
【図５Ｂ】図５Ａに示す破線円Ｂで囲まれた部分（ＤＲ５の方向に見た測定装置７の端部のセンサ装着部７０）を拡大した模式的拡大図である。
【図６Ａ】同実施の形態２に係るバイオセンサの一例の模式的分解斜視図である。
【図６Ｂ】同実施の形態２に係る同バイオセンサの模式的斜視図である。
【図７Ａ】同実施の形態２に係るバイオセンサの別例の模式的分解斜視図である。
【図７Ｂ】同実施の形態２に係るバイオセンサの同別例の模式的斜視図である。
【図８Ａ】同実施の形態２に係るバイオセンサと測定装置の構成の一例を示す模式的ブロック図である。
【図８Ｂ】同実施の形態２に係るバイオセンサと測定装置の構成の別例を示す模式的ブロック図である。
【図９】バイオセンサを排出するためのセンサ排出機構を具備したバイオセンサシステムの例を示す模式的斜視図である。
【図１０Ａ】図９に示す測定装置の一端部を断面Ｙ−Ｙ’で切った模式的断面図である。
【図１０Ｂ】バイオセンサが装着された図９の測定装置の一端部を断面Ｙ−Ｙ’で切った模式的断面図である。
【図１０Ｃ】図１０Ｂに示した状態からバイオセンサが排出のために押し出された状態の測定装置の一端部を断面Ｙ−Ｙ’で切った模式的断面図である。
【図１１】測定装置のセンサ装着部を透視した模式的斜視図である。
【図１２】バイオセンサの一変形例を示す模式的斜視図である。
【符号の説明】
１、４、９１　　バイオセンサシステム
２、５、６、９２　　バイオセンサ
２０　　装着端部
２１、５１、６１　　試料液点着部
２２、５２、６２、９２２　　第１基板
２２０、５２０、６２０、９２０　　第１延出部
２３、５３、６３　　作用電極
１３０、２３０、５３０、６３０　リード
２４、５４、６４、９２４　　第２基板
２４０、５４０、６４０、９４０　　第２延出部
２５、５５、６５　　対電極
２５０、５５０、６５０　　リード
２６、５６、６６、９２６　　スペーサ部材
２７、５７、６７　　試薬層
２８、５８、６８　　試料液供給路
１９、２９、５９、６９　　空気孔
３、７、９３　　測定装置
３０、７０、９３０　　センサ装着部
３１、７１、９３１　　表示部
３２ａ、３２ｂ、７２ａ、７２ｂ、７２ｃ　　コネクタ
３３、７３ｂ、７３ｃ　　スイッチ
３４、７４　　電流／電圧変換回路
３５、７５　　Ａ／Ｄ変換回路
３６、７６　　メモリ
３７、７７　　ＣＰＵ
３８、７８　　電位発生回路
９４　センサ排出部材
【図１Ａ】
2004101514.tif 000003
【図１Ｂ】
2004101514.tif 000004
【図１Ｃ】
2004101514.tif 000005
【図２Ａ】
2004101514.tif 000006
【図２Ｂ】
2004101514.tif 000007
【図３Ａ】
2004101514.tif 000008
【図３Ｂ】
2004101514.tif 000009
【図３Ｃ】
2004101514.tif 000010
【図４】
2004101514.tif 000011
【図５Ａ】
2004101514.tif 000012
【図５Ｂ】
2004101514.tif 000013
【図６Ａ】
2004101514.tif 000014
【図６Ｂ】
2004101514.tif 000015
【図７Ａ】
2004101514.tif 000016
【図７Ｂ】
2004101514.tif 000017
【図８Ａ】
2004101514.tif 000018
【図８Ｂ】
2004101514.tif 000019
【図９】
2004101514.tif 000020
【図１０Ａ】
2004101514.tif 000021
【図１０Ｂ】
2004101514.tif 000022
【図１０Ｃ】
2004101514.tif 000023
【図１１】
2004101514.tif 000024
【図１２】
2004101514.tif 000025
【手続補正書】
【提出日】平成15年7月4日(2003.7.4)
【手続補正１】
【補正対象書類名】明細書
【補正対象項目名】請求項７
【補正方法】変更
【補正の内容】
【請求項７】
第１電極を形成した絶縁性の第１基板と、第２電極を形成した絶縁性の第２基板とが、当該第１電極と当該第２電極とを対向させた状態で配置されたバイオセンサであって、
前記第１電極には第１リードが接続され、前記第２電極には第２リードが接続され、第１電極と第２電極とに接するように試料液を供給する試料液供給路と、前記試料液供給路を介して供給される試料液に含まれる複数の基質のうちの少なくとも１つの固有の基質に反応する試薬とを備え、
前記第１基板または前記第２基板の形状が共通部分と非共通部分とを有し、前記非共通部分の形状が前記固有の基質に対応した固有形状であることを特徴とするバイオセンサ。